(57)【要約】      （修正有）【課題】ノズル開放ボタンを真上から押すことが安定にでき、スプレー缶の保持体の角度を現場で支持棒を対象物に掲げながら調整が可能なスプレー噴射棒を提供する。【解決手段】スプレー噴射棒は、支持棒１１０の先端側にスプレー缶１を把持し、手元の操作により、スプレー缶ノズル３を押してスプレーをする手段とを有し、ノズル開放ボタン２を押すノズル解放ボタン押しバー１２４の移動がノズル開放ボタンの真上から押すように移動が規制され、スプレー缶把持基体１２０が支持棒に回転可能に取り付けられ、回転中心に対してスプレー缶把持基体の両側から引綱１７０Ａ、１７０Ｂにより角度を変える手段を有する。【選択図】図１
0003229350.tif 000002
【実用新案登録請求の範囲】
【請求項１】
支持棒と、前記支持棒の先端に着いたスプレー缶把持基体と、前記スプレー缶把持基体に取付いていて、前記スプレー缶把持基体にスプレー缶を固定する固定具と、前記支持棒の手元側のハンドルの操作により前記スプレー缶のノズル開放ボタンを押す又は離すノズル開放ボタン操作手段と、を備え、
前記ノズル開放ボタン操作手段は、前記支持棒の手元側の前記ハンドルの操作により上下するワイヤと、前記ワイヤに接続し、前記ノズル開放ボタンを押す方向とは直角に伸びたノズル開放ボタン押しバーと、前記ノズル開放ボタン押しバーから直角に伸びたスライド棒と、前記スプレー缶把持基体に備えた溝と、を備え、
前記スライド棒が前記スプレー缶把持基体に備えた溝にはまって、前記ノズル開放ボタンを真上から押す、又は、付勢力により開放する方向の移動を可能としたことを特徴とするスプレー噴射棒。
【請求項２】
前記固定具は、前記スプレー缶を前記スプレー缶把持基体に縛る把持具と前記スプレー缶を載せるスプレー缶台座を有し、前記スプレー缶台座は、前記スプレー缶把持基体上を前記スプレー缶の長手方向に移動可能としたことを特徴とする請求項１記載のスプレー噴射棒。
【請求項３】
前記スプレー缶把持基体と前記支持棒の傾斜角度を作業対象に当てながら調整できるように、前記支持棒に回転可能に前記スプレー缶把持基体が取付いた回転中心に対してスプレー缶把持基体の互いに反対側となる所に接続していて前記支持棒の手元で引くことが可能な引綱を備えたことを特徴とする請求項１または請求項２に記載のスプレー噴射棒。
【請求項４】
前記傾斜角度を調整する場合に、前記傾斜角度が所望の値に決まった時点で、二つの前記引綱を同じ張り具合になるように支持棒に固定して確定する手段か、
前記回転中心部に、適当な角度ごとに止まりをもち、角度を変えたい場合は、止まり力を上回る力で引くと、外れて回転し、次の角度で止まる回転機構を有することを特徴とする請求項３記載のスプレー噴射棒。
【考案の詳細な説明】
【技術分野】
【０００１】
本考案は、スプレー噴射棒に関するものである。
【背景技術】
【０００２】
図２は、従来のスプレー噴射棒を示す図である。２−Ａ、２−Ｂ、２−Ｃは、各々、特許文献１、特許文献２、特許文献３に記述されたものであり、共通した概念として、所望の長さの支持棒の先端にスプレー缶保持部分があり、支持棒の他端において引いた紐により、スプレー缶のスプレーノズルが押されて、スプレーされることである。
しかしながら、３者とも、スプレー缶のノズル開放ボタンを真上から押すことができなくて斜めから押すため、スプレーが不安定になりやすい事と、支持棒とスプレー缶を保持する保持体の角度が使用状態の手元に置いて変えられず、予め、目分量で決めてから作業に移す必要があり、角度の調整が適当でないとやり直しが生ずる欠点がある。
【先行技術文献】
【特許文献】
【０００３】
【特許文献１】特開平９−１１８３７８
【特許文献２】特開平９−１４１１４６
【特許文献３】実用新案登録第３１２７９４８号
【考案の概要】
【考案が解決しようとする課題】
【０００４】
本考案は、上記の二つの欠点を回避する、すなわち、ノズル開放ボタンを真上から押すことが安定にでき、スプレー缶の保持体の角度を現場で支持棒を対象物に掲げながら調整が可能なスプレー噴射棒を提供する。
【課題を解決するための手段】
【０００５】
以下請求項に沿い記述する。
請求項１記載の考案は、スプレー噴射棒であって、
支持棒と、前記支持棒の先端に着いたスプレー缶把持基体と、前記スプレー缶把持基体に取付いていて、前記スプレー缶把持基体にスプレー缶を固定する固定具と、前記支持棒の手元側のハンドルの操作により前記スプレー缶のノズル開放ボタンを押す又は離すノズル開放ボタン操作手段と、を備え、
前記ノズル開放ボタン操作手段は、前記支持棒の手元側の前記ハンドルの操作により上下するワイヤと、前記ワイヤに接続し、前記ノズル開放ボタンを押す方向とは直角に伸びたノズル開放ボタン押しバーと、前記ノズル開放ボタン押しバーから直角に伸びたスライド棒と、前記スプレー缶把持基体に備えた溝と、を備え、
前記スライド棒が前記スプレー缶把持基体に備えた溝にはまって、前記ノズル開放ボタンを真上から押す、又は、付勢力により開放する方向の移動を可能としたことを特徴とする。
【０００６】
請求項２記載の考案は、請求項１記載のスプレー噴射棒において、
前記固定具は、前記スプレー缶を前記スプレー缶把持基体に縛る把持具と前記スプレー缶を載せるスプレー缶台座を有し、前記スプレー缶台座は、前記スプレー缶把持基体上を前記スプレー缶の長手方向に移動可能としたことを特徴とする。
【０００７】
請求項３記載の考案は、請求項１または請求項２に記載のスプレー噴射棒において、
前記スプレー缶把持基体と前記支持棒の傾斜角度を作業対象に当てながら調整できるように、前記支持棒に回転可能に前記スプレー缶把持基体が取付いた回転中心に対してスプレー缶把持基体の互いに反対側となる所に接続していて前記支持棒の手元で引くことが可能な引綱を備えたことを特徴とする。
【０００８】
請求項４記載の考案は、請求項３記載のスプレー噴射棒において、
前記傾斜角度を調整する場合に、前記傾斜角度が所望の値に決まった時点で、二つの前記引綱を同じ張り具合になるように支持棒に固定して確定する手段か、
前記回転中心部に、適当な角度ごとに止まりをもち、角度を変えたい場合は、止まり力を上回る力で引くと、外れて回転し、次の角度で止まる回転機構を有することを特徴とする。
【考案の効果】
【０００９】
以上の様に簡単な構成ながら、本考案によるスプレー噴射棒では、ノズル開放ボタンを真上から押すことが安定にでき、スプレー缶の保持体の角度を現場で支持棒を対象物に掲げながら調整が可能となる。
【図面の簡単な説明】
【００１０】
【図１】本考案にかかるスプレー噴射棒の一実施態様を示す図である。
【図２】従来のスプレー噴射棒を示す図である。
【考案を実施するための形態】
【００１１】
図１は、本考案にかかるスプレー噴射棒の一実施態様を示す図である。
本考案のスプレー噴射棒は、支持棒１１０と、その先端に着いたスプレー缶把持基体１２０と、スプレー缶把持基体１２０に取付いていてスプレー缶把持基体１２０にスプレー缶を固定する固定具（１２２、１２１）と、手元のハンドル１３０の操作によりスプレー缶のノズル開放ボタン２を押す又は離すノズル開放ボタン操作手段（１２７、１２４、１２６、１２３、１２５）と、を備える。
【００１２】
１−Ａにおいて、スプレー噴射棒は、支持棒１１０（図のように伸縮機構があると好都合）の先端には、スプレー缶把持基体１２０が付いている。スプレー缶把持基体１２０は、同一体や、固定的についていても良いが、図のように支持棒１１０に対して支持棒１１０の長手方向に回転し傾斜角度を調整できるように付いているとスプレー噴射の向き調整に有利となる。スプレー缶把持基体１２０には、スプレー缶１を把持するベルト等の把持具１２２と、好ましくは、スプレー缶１をのせるスプレー缶台座１２１を有し、スプレー缶台座１２１が図示のように上下に移動可能で、つまみ１２８を緩めるとスプレー缶台座１２１の移動（図では見えないスプレー缶側にスライド用溝１２９がある）ができ、スライド溝１２９の所望の位置に対応する溝位置で、つまみ１２８を絞めるか、つまみ１２８の回転で、スプレー缶台座１２１の移動ができることが、さらに好ましい。
【００１３】
スプレー缶のノズルを開放するためのノズル開放ボタン操作手段は、支持棒１１０の手元のハンドル１３０を引くと、ワイヤ１２７が引かれる。
スプレー缶１のノズル開放ボタン２の先端のすぐ外側には、ノズル開放ボタン２を押す方向とは直角に伸びたノズル開放ボタン押しバー１２４があり、先端において、第一ワイヤ１２７につながっている。
この例では、ノズル開放ボタン押しバー１２４から直角に伸びたスライド棒１２３が、スプレー缶把持基体１２０に備えた溝にはまって、ノズル開放ボタン２を押す移動を可能とする。このスライド棒１２３とプレー缶把持基体１２０に備えた溝とが、ノズル開放ボタン押しバー１２４の上下移動を規定しているため、ノズル開放ボタン２を直上から押す利点がある。
【００１４】
ノズル開放ボタン押しバー１２４とスプレー缶把持基体１２０の間には、バネ等の付勢手段１２５がある。そのため、第一ワイヤ１２７が引かれると、ノズル開放ボタン押しバー１２４が付勢手段１２５に抗して下に移動して、ノズル開放ボタン２を押し、ノズル３からスプレーすることができ、ハンドル１３０を緩めると、付勢手段１２５に従ってノズル開放ボタン押しバー１２４が上方に戻り（ワイヤ１２７は伸びる）、ノズル開放ボタン２と所定の間隔をおいて、止まる。
スライド棒１２３とスプレー缶把持基体１２０に備えた溝には、停止のため又は抜け落ちないための構造を有する。
ノズル開放ボタン押しバー１２４のノズル開放ボタン２の位置には、押下突起１２６を図示したが、必須ではなく、ノズル開放ボタン押しバー１２４でも十分である。
【００１５】
スプレー缶把持基体１２０は、支持棒１１０に対して支持棒１１０の長手方向に回転し傾斜角度を調整できるが、１−Ｂのように、回転中心に対してスプレー缶把持基体１２０の互いに反対側となる所を引く引綱１７０Ａ、１７０Ｂを備えただけでも、手元側から傾斜角度を変えることができる。傾斜角度を決めた時点で、引綱１７０Ａ、１７０Ｂを同じ張り具合になるように支持棒に固定して確定するか、適当な角度ごとに止まりをもつ回転中心部の回転機構にすることでも所望の傾斜角度で止めることができる。角度を変えたい場合は、止まり力を上回る力で引くと、外れて回転し、次の角度で止まる。この手段により、作業現場の対象物に支持棒をかざして、作業をする状態で所望の傾斜角度になるようにその場で調整できるので、予め目分量で設定したものより正確でやり直しが不要となる。
【産業上の利用可能性】
【００１６】
以上のように本考案にかかるスプレー噴射棒では、ノズル開放ボタンを真上から押すことが安定にでき、スプレー缶の保持体の角度を現場で支持棒を対象物に掲げながら調整が可能となるので、産業上利用して極めて好都合である。
【００１７】
１      スプレー缶
２      ノズル開放ボタン
３      ノズル
１１０  支持棒
１２０  スプレー缶把持基体
１２１  スプレー缶台座
１２２  把持具
１２３  スライド棒
１２４  ノズル開放ボタン押しバー
１２５  付勢手段
１２６  押下突起
１２７  ワイヤ
１２８  つまみ
１２９  スライド用溝
１３０  ハンドル
１７０Ａ、１７０Ｂ  引綱
【図１】
0003229350.tif 000003
【図２】
0003229350.tif 000004